(57)【要約】【課題】一つの操作で所望のディスクを排出することができる車載用オーディオ装置およびナビゲーション装置を提供する。【解決手段】ディスク選択ボタン２２ａに対応するトレイに格納されているＣＤを排出する場合は、ディスク選択ボタン２２ａを所定時間以上（たとえば、１秒以上）、押圧し続ける。そうすると、ディスク選択ボタン２２ａに対応するトレイにＣＤが格納されている場合は、ディスク挿入口２１からＣＤが排出される。そして、「ディスクを取り出してください」と、ディスク取出しを指示するポップアップ画面が表示モニタ１６に表示される。一方、押圧したディスク選択ボタン２２ａに対応するトレイにＣＤが格納されていない場合は、「ディスクを入れてください」と、ＣＤの挿入を指示するポップアップ画面が表示モニタ１６に表示される。【選択図】図４
2008041213.tif 000002
【特許請求の範囲】
【請求項１】
ディスクチェンジャ機能を備えた車載用オーディオ装置において、
ディスクを格納する複数のトレイと、
前記複数のトレイに対応する複数のボタンと、
前記ボタンを所定時間以上押圧し続けると、前記ボタンに対応するトレイにディスクが格納されている場合は、前記ディスクを排出するディスク制御手段とを備えることを特徴とする車載用オーディオ装置。
【請求項２】
請求項１に記載の車載用オーディオ装置において、
前記ディスク制御手段は、前記ボタンを所定時間以上押圧し続けると、前記ボタンに対応するトレイにディスクが格納されていない場合は、ディスクの挿入を指示することを特徴とする車載用オーディオ装置。
【請求項３】
請求項１または２に記載の車載用オーディオ装置において、
タッチパネルを設けた表示モニタと、
前記表示モニタに前記ボタンを表示する表示制御手段とを備えることを特徴とする車載用オーディオ装置。
【請求項４】
請求項３に記載の車載用オーディオ装置において、
前記表示制御手段は、トレイにディスクが格納されているときと格納されていないときとに応じて前記トレイに対応するボタンの表示態様を変更して前記ボタンを表示することを特徴とする車載用オーディオ装置。
【請求項５】
請求項４に記載の車載用オーディオ装置において、
前記ディスク制御手段は、前記ボタンの表示態様によって前記ボタンを所定時間以上押圧し続けたときの機能を変更することを特徴とする車載用オーディオ装置。
【請求項６】
請求項１乃至５のいずれか１項に記載の車載用オーディオ装置を備えることを特徴とするナビゲーション装置。
【発明の詳細な説明】
【技術分野】
【０００１】
本発明は、記録メディアに記憶された音楽を再生する車載用オーディオ装置およびナビゲーション装置に関する。
【背景技術】
【０００２】
シーク／スキップボタンの操作により排出しようとするディスクの番号を液晶表示装置に表示し、その状態でエジェクトボタンを押すと所望のディスクを排出することができる車載用オーディオ装置が従来技術として知られている（たとえば、特許文献１）。
【特許文献１】特開２００１−３０７４６７号公報
【発明の開示】
【発明が解決しようとする課題】
【０００３】
特許文献１に記載されているような従来のオーディオ装置では、所望のディスクを排出するのに何度もボタンを押さなければならず、ディスクを排出する操作が面倒であるという問題点がある。
【課題を解決するための手段】
【０００４】
（１）請求項１の発明は、ディスクチェンジャ機能を備えた車載用オーディオ装置において、ディスクを格納する複数のトレイと、複数のトレイに対応する複数のボタンと、ボタンを所定時間以上押圧し続けると、ボタンに対応するトレイにディスクが格納されている場合は、ディスクを排出するディスク制御手段とを備えることを特徴とする。
（２）請求項２の発明は、請求項１に記載の車載用オーディオ装置において、ディスク制御手段は、ボタンを所定時間以上押圧し続けると、ボタンに対応するトレイにディスクが格納されていない場合は、ディスクの挿入を指示することを特徴とする。
（３）請求項３の発明は、請求項１または２に記載の車載用オーディオ装置において、タッチパネルを設けた表示モニタと、表示モニタにボタンを表示する表示制御手段とを備えることを特徴とする。
（４）請求項４の発明は、請求項３に記載の車載用オーディオ装置において、表示制御手段は、トレイにディスクが格納されているときと格納されていないときとに応じてトレイに対応するボタンの表示態様を変更してボタンを表示することを特徴とする。
（５）請求項５の発明は、請求項４に記載の車載用オーディオ装置において、ディスク制御手段は、ボタンの表示態様によってボタンを所定時間以上押圧し続けたときの機能を変更することを特徴とする。
（６）請求項６の発明のナビゲーション装置は、請求項１乃至５のいずれか１項に記載の車載用オーディオ装置を備えることを特徴とする。
【発明の効果】
【０００５】
本発明によれば、一つの操作で所望のディスクを排出することができ、操作が簡単である。
【発明を実施するための最良の形態】
【０００６】
本発明の実施形態によるオーディオ装置付きナビゲーション装置の構成を図１に示す。図１のナビゲーション装置１は、地図表示などのナビゲーション機能を有しており、ＣＤ（Ｃｏｍｐａｃｔ  Ｄｉｓｃ）を再生することができ、ディスクチェンジャ機能も備えている。ナビゲーション装置１は、制御回路１１、ＲＯＭ１２、ＲＡＭ１３、現在地検出装置１４、画像メモリ１５、表示モニタ１６、スピーカ１７、入力装置１８、ＣＤプレーヤ部１９、ディスクドライブ１１０、タッチパネル１１２およびタッチパネルコントロール部１１３を有している。ディスクドライブ１１０には、地図データが記録されたＤＶＤ−ＲＯＭ１１１が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１は、ＣＤプレーヤ部１９の動作を制御したり、ＤＶＤ−ＲＯＭ１１１に記憶された地図データに基づいて所定の経路探索処理を行う。また、制御回路１１は、タイマ１１ａを内蔵しており、経過時間を計測することができる。
【０００８】
現在地検出装置１４は車両の現在地を検出する装置であり、たとえば、車両の進行方向を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどから成る。画像メモリ１５は、表示モニタ１６にオーディオ画面や地図画面を表示するための画像データを格納する。ディスクドライブ１１０は、装填されたＤＶＤ−ＲＯＭ１１１から、表示モニタ１６へ地図を表示するための地図データを読み出す。
【０００９】
表示モニタ１６は、自車位置付近の地図や、ＣＤプレーヤ部１９の動作状況やＣＤプレーヤ部１９で再生している音楽の情報などといったオーディオ情報を表示する。スピーカ１７は、操作案内や経路誘導するための音声を出力する。また、スピーカ１７より、ＣＤプレーヤ部１９で再生した音声を出力する。
【００１０】
入力装置１８は、ユーザが各種コマンドの設定などするための操作キーを有し、操作パネル上のボタンスイッチやパネル周囲のハードスイッチなどによって実現される。入力装置１８によりＣＤプレーヤ部１９を操作することができ、ＣＤプレーヤ部１９に装着したＣＤを再生したり、再生するＣＤをほかのＣＤに変えたり、ＣＤを排出したりすることができる。
【００１１】
ＣＤプレーヤ部１９は、ＣＤを再生し、再生した音声をスピーカ１７に出力する。ＣＤプレーヤ部１９には、６つの不図示のトレイが設けられており、それぞれのトレイにＣＤを格納することができる。そして、ディスクチェンジャ機能によりそれぞれのトレイに格納されているＣＤを再生することができる。また、ＣＤプレーヤ部１９は、ＣＤに記録されているアーティスト情報やアルバム情報などのオーディオ情報を読み込み、その情報を制御回路１１に出力する。
【００１２】
タッチパネル１１２は、表示モニタ１６の表面に積層される透明のタッチスイッチであり、表示モニタ１６に表示される画像はタッチパネル１１２を通して表示される。したがって、表示モニタ１６の表示画面を押圧するとタッチパネル１１２が押圧される。タッチパネル１１２は、タッチパネル１１２上の操作位置に応じた信号をタッチパネルコントロール部１１３に送出し、タッチパネルコントロール部１１３はタッチパネル１１２の押圧位置を算出する。
【００１３】
タッチパネル１１２は、入力装置１８と同様に入力機能を有する。表示モニタ１６に表示された各種ボタンや表示メニューなどを指などで押圧するとタッチパネル１１２は押圧され、各種ボタンや表示メニューに定義された処理が実行される。たとえば、タッチパネル１１２を押圧することによってＣＤプレーヤ部１９を操作することができ、入力装置１８と同様にＣＤプレーヤ部１９に装着したＣＤを再生したり、再生するＣＤをほかのＣＤに切り替えたり、ＣＤを排出したりすることができる。
【００１４】
次に車両のインストルメントパネル２０に搭載された本発明の実施形態によるナビゲーション装置１の外観を図２に示す。車両のインストルメントパネル２０には、タッチパネル１１２が設けられた表示パネル１６と、入力装置１８と、ＣＤプレーヤ部１９のディスク挿入口２１とが設けられている。入力装置１８には、搭載された複数のＣＤから所望のＣＤを選択するディスク選択ボタン２２、演奏中のＣＤを排出するエジェクトボタン２３が含まれる。ディスク選択ボタン２２は表示モニタ１６の下辺に沿って設けられている。ユーザは、ディスク選択ボタン２２を操作することによって、または表示モニタ１６に設けられたタッチパネル１１２を押圧操作することによって、ＣＤプレーヤ部１９に装着されたＣＤをディスク挿入口２１から排出したり挿入したりすることができる。
【００１５】
次に、図３および図４を参照して、ディスク選択ボタン２２の操作によるディスクの排出／挿入操作について説明する。表示モニタ１６には、自車位置周辺の地図３０を表示しているものとして説明する。地図３０には、自車位置マーク３１とともに推奨経路３２が表示される。また、地図３０が表示されている画面からオーディオ情報を表示したオーディオ画面に切り替えるためのオーディオ画面ボタン３３が表示される。
【００１６】
ディスク選択ボタン２２は６つのボタン２２ａ〜２２ｆからなり、ＣＤプレーヤ部１９の６つのトレイにそれぞれ対応する。そして、ディスク選択ボタン２２ａに対応するトレイに格納されているＣＤを排出する場合は、ディスク選択ボタン２２ａを所定時間以上（たとえば、１秒以上）、押圧し続ける。そうすると、ディスク選択ボタン２２ａに対応するトレイにＣＤが格納されている場合は、ディスク挿入口２１からＣＤが排出される。そして、図４（ａ）に示すように、「ディスクを取り出してください」とディスク取出しを指示するポップアップ画面が表示モニタ１６に表示される。ユーザはポップアップ画面の指示にしたがって、ディスク選択ボタン２２ａに対応するトレイからＣＤを取り出すことができる。
【００１７】
一方、押圧したディスク選択ボタン２２ａに対応するトレイにＣＤが格納されていない場合は、図４（ｂ）に示すように、「ディスクを入れてください」と、ＣＤの挿入を指示するポップアップ画面が表示モニタ１６に表示される。ユーザはポップアップ画面の指示にしたがって、ＣＤをディスク挿入口２１に挿入し、ＣＤが格納されていないトレイにＣＤを格納することができる。
【００１８】
次に、図５および図６を参照して、表示モニタ１６に設けられたタッチパネル１１２の押圧操作によるＣＤの排出／挿入操作について説明する。タッチパネル１１２の押圧操作によりＣＤを排出または挿入するときは、図５に示すようにオーディオ画面４０を表示モニタ１６に表示する。図３および図４に示すオーディオ画面ボタン３３を押圧するとオーディオ画面４０に切り替わる。オーディオ画面４０には、演奏モード４１、再生されているＣＤのトラックナンバ４２、再生経過時間４３、再生している音楽のタイトル名４４、再生している音楽のアーティスト名４５、ＣＤに収録されているアルバム名４６、ＣＤの再生、停止などを操作する操作ボタン４７ａ〜４７ｃ、再生の演奏モードを切り替える演奏モードボタン４８ａ〜４８ｃ、再生しているＣＤに収められている曲名をリスト表示するトラックリストボタン４９、オーディオ画面４０から地図３０が表示された表示画面に切り替えるためのナビ画面ボタン４１０が表示される。
【００１９】
オーディオ画面４０の下部には、ディスクボタン５１ａ〜５１ｆが表示される。ディスクボタン５１ａ〜５１ｆは、ディスク選択ボタン２２ａ〜２２ｆと同様に、ＣＤプレーヤ部１９の６つのトレイにそれぞれ対応する。そして、ディスクボタン５１ａ〜５１ｆの表示態様を変えることによって、それぞれのトレイの状態を示す。たとえば、トレイにＣＤが格納されていない場合は、ディスクボタン５１ｅのようにボタン全体が白く表示され（ＣＤ未格納の表示）、トレイにＣＤが格納されている場合は、ディスクボタン５１ａ，５１ｃ，５１ｄ，５１ｆのように番号を囲む円の内部が所定の色に変えて表示され（ＣＤ格納の表示）、トレイに格納されているＣＤが再生中の場合は、ディスクボタン５１ｂに示すように、ボタン全体が所定の色に変えて表示される（ＣＤ再生中の表示）。
【００２０】
ディスク選択ボタン２２ａ〜２２ｆと同様に、ディスクボタン５１ａ〜５１ｆを押圧することによってトレイに格納されているＣＤを排出したり、トレイにＣＤを格納したりすることができる。トレイに格納されているＣＤを排出する場合は、排出するＣＤが格納されているトレイに対応するディスクボタン５１ａ〜５１ｄ，５１ｆを所定時間以上（たとえば、１秒以上）、押圧し続ける。そうすると、ディスクボタン５１ａ〜５１ｄ，５１ｆに対応するトレイに格納されていたＣＤがディスク挿入口２１から排出される。そして、図６（ａ）に示すように、「ディスクを取り出してください」とディスク取出しを指示するポップアップ画面が表示モニタ１６に表示される。ユーザはポップアップ画面の指示にしたがって、所望のＣＤをトレイから取り出すことができる。
【００２１】
一方、トレイにＣＤを格納する場合は、ＣＤが格納されていないトレイに対応するディスクボタン５１ｅを所定時間以上、押圧し続ける。そうすると、図６（ｂ）に示すように、「ディスクを入れてください」と、ＣＤの挿入を指示するポップアップ画面が表示モニタ１６に表示される。ユーザはポップアップ画面の指示にしたがって、ＣＤをディスク挿入口２１に挿入し、トレイにＣＤを格納することができる。
【００２２】
次に、ディスク選択ボタン２２の操作によるディスクの排出／挿入処理について、図７のフローチャートを参照して説明する。図７の処理は、イグニッションスイッチをオンにするとスタートするプログラムにより制御回路１１において実行される。
【００２３】
ステップＳ７０１では、ディスク選択ボタン２２が押圧されたかを判定する。押圧された場合はステップＳ７０１が肯定判定され、ステップＳ７０２へ進む。押圧されていない場合はステップＳ７０１を繰り返す。ステップＳ７０２では、制御回路１１に内蔵されているタイマ１１ａをスタートさせる。ステップＳ７０３では、ステップＳ７０１において押圧されたディスク選択ボタン２２が押圧されているかを判定する。押圧されている場合はステップＳ７０３を繰り返す。押圧されていない場合はステップＳ７０３が否定判定され、ステップＳ７０４へ進む。ステップＳ７０４では、制御回路１１に内蔵されているタイマ１１ａをストップさせる。
【００２４】
ステップＳ７０５では、タイマがストップした時間が所定時間以上であるかを判定する。所定時間以上の場合はステップＳ７０５が肯定判定され、ステップＳ７０６へ進む。所定時間に満たない場合はステップＳ７０５が否定判定され、リターンする。ステップＳ７０６では、押圧されたディスク選択ボタン２２に対応するトレイにＣＤが格納されているかを判定する。格納されている場合はステップＳ７０６が肯定判定され、ステップＳ７０７へ進む。格納されていない場合はステップＳ７０６が否定判定され、ステップＳ７０９へ進む。ステップＳ７０７では、押圧されたディスク選択ボタン２２に対応するトレイからＣＤを排出する。ステップＳ７０８では、表示モニタ１６の表示画面に「ディスクを取り出してください」と表示したポップアップ画面を表示する。そして、リターンする。
【００２５】
ステップＳ７０９では、ディスク挿入口２１にＣＤを挿入すれば、挿入したＣＤが押圧されたディスク選択ボタン２２に対応するトレイに格納されるようにＣＤ格納の準備を行う。ステップＳ７１０では、表示モニタ１６の表示画面に「ディスクを入れてください」と表示したポップアップ画面を表示する。そして、リターンする。
【００２６】
次に、タッチパネル１１２の押圧操作によるＣＤの排出／挿入操作処理について、図８のフローチャートを参照して説明する。図８の処理は、表示モニタ１６にオーディオ画面４０を表示するとスタートするプログラムにより制御回路１１において実行される。
【００２７】
ステップＳ８０１では、タッチパネルコントロール部１１３が算出した押圧位置より、ディスクボタン５１ａ〜５１ｆが押圧されたかを判定する。押圧された場合はステップＳ８０１が肯定判定され、ステップＳ８０２へ進む。押圧されていない場合はステップＳ８０１を繰り返す。ステップＳ８０２では、制御回路１１に内蔵されているタイマ１１ａをスタートさせる。ステップＳ８０３では、ステップＳ８０１において押圧されたディスクボタン５１ａ〜５１ｆが押圧されているかを判定する。押圧されている場合はステップＳ８０３を繰り返す。押圧されていない場合はステップＳ８０３が否定判定され、ステップＳ８０４へ進む。ステップＳ８０４では、制御回路１１に内蔵されているタイマ１１ａをストップさせる。
【００２８】
ステップＳ８０５では、タイマがストップした時間が所定時間以上であるかを判定する。所定時間以上の場合はステップＳ８０５が肯定判定され、ステップＳ８０６へ進む。所定時間に満たない場合はステップＳ８０５が否定判定され、リターンする。ステップＳ８０６では、押圧されたディスクボタン５１ａ〜５１ｆの表示が、ＣＤ再生中またはＣＤ格納の表示であるかを判定する。ＣＤ再生中またはＣＤ格納の表示である場合はステップＳ８０６が肯定判定され、ステップＳ８０７へ進む。ＣＤ未格納の表示である場合はステップＳ８０６が否定判定され、ステップＳ８０９へ進む。ステップＳ８０７では、押圧されたディスクボタン５１ａ〜５１ｆに対応するトレイからＣＤを排出する。ステップＳ８０８では、表示モニタ１６の表示画面に「ディスクを取り出してください」と表示したポップアップ画面を表示する。そして、リターンする。
【００２９】
ステップＳ８０９では、ディスク挿入口２１にＣＤを挿入すれば、挿入したＣＤが押圧されたディスクボタン５１ａ〜５１ｆに対応するトレイに格納されるようにＣＤ格納準備を行う。ステップＳ８１０では、表示モニタ１６の表示画面に「ディスクを入れてください」と表示したポップアップ画面を表示する。そして、リターンする。
【００３０】
ディスクボタン５１ａ〜５１ｆの表示態様を変更するための割り込み処理として、図９のフローチャートに示すディスクボタン表示処理が行われている。
【００３１】
ステップＳ９０１ではｎ＝１とする。ステップＳ９０２ではｎ番目のトレイにＣＤが格納されているか判定する。格納されている場合はステップＳ９０２が肯定判定され、ステップＳ９０３へ進む。格納されていない場合はステップＳ９０７へ進む。
【００３２】
ステップＳ９０３では、ｎ番目のトレイに格納されているＣＤが再生されているかを判定する。再生されている場合はステップＳ９０３が肯定判定され、ステップＳ９０４へ進む。再生されていない場合はステップＳ９０３が否定判定され、ステップＳ９０８へ進む。ステップＳ９０４では、ｎ番目のトレイに対応するディスクボタン５１ａ〜５１ｆをＣＤ再生中の表示にする。
【００３３】
ステップＳ９０５では、ｎ＝６であるか判定する。ｎ＝６の場合はステップＳ９０５が肯定判定され、リターンする。ｎ＝６でない場合はステップＳ９０５が否定判定され、ステップＳ９０６へ進む。ステップＳ９０６では、ｎ←ｎ＋１とする。そして、ステップＳ９０２へ戻る。
【００３４】
ステップＳ９０７では、ｎ番目のトレイに対応するディスクボタン５１ａ〜５１ｆをＣＤ未格納の表示にする。そして、ステップＳ９０５へ進む。ステップＳ９０８では、ｎ番目のトレイに対応するディスクボタン５１ａ〜５１ｆをＣＤ格納の表示にする。そして、ステップＳ９０５へ進む。
【００３５】
以上の本発明の実施の形態によるナビゲーション装置１は次のような作用効果を奏する。
（１）所望のＣＤが格納されているトレイに対応するディスク選択ボタン２２ａ〜２２ｆまたはディスクボタン５１ａ〜５１ｆを所定時間以上押圧するという一つの操作で所望のディスクを排出することができ、ＣＤを排出する操作が簡単である。
【００３６】
（２）同じディスク選択ボタン２２ａ〜２２ｆまたはディスクボタン５１ａ〜５１ｆを所定時間以上押圧しても、そのボタンに対応するトレイにＣＤが格納されている場合は、ＣＤが排出され、そのボタンに対応するトレイにＣＤが格納されていない場合は、ＣＤを挿入することができる。したがって、ＣＤ排出用のボタンとＣＤ挿入用のボタンを２つ設ける必要がなく、インストルメントパネル２０に設けるボタン、または表示モニタ１６に表示するボタンを少なくすることができ、操作性が高くなる。
【００３７】
（３）同じディスクボタン５１ａ〜５１ｆを所定時間以上押圧しても、ＣＤ再生中の表示およびＣＤ格納の表示のボタンと、ＣＤ未格納の表示のボタンとでは、押圧したときの機能（ＣＤの排出および挿入）を異なるようにしたので、上述と同じように表示モニタ１６に表示するボタンの数を少なくすることができ、操作性が高くなる。
【００３８】
以上の実施の形態のナビゲーション装置１を次のように変形することができる。
（１）ナビゲーション装置１に排出および挿入するディスクは、ディスク状の記録媒体であればＣＤに限定されない。たとえば、ＭＤ（Ｍｉｎｉ  Ｄｉｓｃ）やＤＶＤでもよい。
（２）ディスクチェンジャ機能を備えていれば、ナビゲーション装置１に限定されず、車載用オーディオ装置でもよい。
（３）ディスク取出しの指示およびディスク挿入の指示をスピーカ１７から出力する音声によって行ってもよい。
（４）ナビゲーション装置に限定されず、ナビゲーション機能のない車載用オーディオ装置でもよい。
【００３９】
本発明は、その特徴的構成を有していれば、以上説明した実施の形態になんら限定されない。
【００４０】
特許請求の範囲の要素と実施の形態との対応関係を説明する。
本発明のディスク制御手段は制御回路１１およびＣＤプレーヤ部１９に対応し、表示制御手段は制御回路１１に対応する。なお、以上の説明はあくまで一例であり、発明を解釈する上で、上記の実施形態の構成要素と本発明の構成要素の対応関係になんら限定されるものではない。
【図面の簡単な説明】
【００４１】
【図１】本発明の実施形態におけるナビゲーション装置の構成を示すブロック図である。
【図２】車両のインストルメントパネルに搭載された本発明の実施形態によるナビゲーション装置の外観を示す図である。
【図３】表示モニタに地図を表示しているときの表示画面とディスク選択ボタンとを説明するための図である。
【図４】ディスク選択ボタンを押圧したときに表示モニタに表示される表示画面を説明するための図である。
【図５】オーディオ画面を説明するための図である。
【図６】ディスクボタンを押圧したときに表示モニタに表示される表示画面を説明するための図である。
【図７】ディスク選択ボタンの操作によるディスクの排出／挿入処理を説明するためのフローチャートである。
【図８】ディスクボタンの操作によるディスクの排出／挿入処理を説明するためのフローチャートである。
【図９】ディスクボタンの表示処理を説明するためのフローチャートである。
【符号の説明】
【００４２】
１  ナビゲーション装置
１１  制御回路
１１ａ  タイマ
１３  ＲＡＭ
１６  表示モニタ
１８  入力装置
１９  ＣＤプレーヤ部
２１  ディスク挿入口
２２，２２ａ〜２２ｆ  ディスク選択ボタン
５１ａ〜５１ｆ  ディスクボタン
【図１】
2008041213.tif 000003
【図２】
2008041213.tif 000004
【図３】
2008041213.tif 000005
【図４】
2008041213.tif 000006
【図５】
2008041213.tif 000007
【図６】
2008041213.tif 000008
【図７】
2008041213.tif 000009
【図８】
2008041213.tif 000010
【図９】
2008041213.tif 000011